(57)【要約】【課題】圧着片の保持力を高めることができる端子および端子付き電線。【解決手段】芯線２１を絶縁被覆２２で覆った電線２０の端末に接続される端子１０であって、電線２０の長手方向と交差する方向に延出して形成され、絶縁被覆２２の外周面に圧着される一対のインシュレーションバレル片１４Ｂ（圧着片）を備えており、一対のインシュレーションバレル片１４Ｂの先端部分１４Ｃのうちインシュレーションバレル片１４Ｂが絶縁被覆２２に圧着された状態における絶縁被覆２２側に配される内側縁部は、先端に向かって斜めに切り欠かれた傾斜部１４Ｄとされている。【選択図】図３
2016207306.tif 000002
【特許請求の範囲】
【請求項１】
芯線を絶縁被覆で覆った電線の端末に接続される端子であって、
前記電線の長手方向と交差する方向に延出して形成され、前記絶縁被覆の外周面に圧着される一対の圧着片を備えており、
前記一対の圧着片の先端部分で前記絶縁被覆側に配される内側縁部は、前記圧着片の先端に向かって斜めに切り欠かれた傾斜部とされている端子。
【請求項２】
芯線を絶縁被覆で覆った電線と、前記電線に接続される請求項１に記載の端子とを備えた端子付き電線。
【発明の詳細な説明】
【技術分野】
【０００１】
本明細書で開示される技術は、端子および端子付き電線に関する。
【背景技術】
【０００２】
従来、自動車等のワイヤーハーネス等の分野においては、電線の端末に端子が接続された端子付き電線が使用されている。具体的には、電線の絶縁被覆の端末が皮剥ぎされて芯線の端末が露出され、この露出された芯線の端末に対して、端子に設けられたワイヤバレル（電線接続部）が圧着されて接続され、残った絶縁被覆の端末に、ワイヤバレルの後方に設けられたインシュレーションバレルが圧着されるようになっている。
【先行技術文献】
【特許文献】
【０００３】
【特許文献１】特開２０１１−１９２５３０号公報
【発明の概要】
【発明が解決しようとする課題】
【０００４】
しかしながら、ワイヤバレルやインシュレーションバレルが電線に圧着されるだけでは、端子に接続された電線に外部から衝撃が加わった際に、電線が端子から外れる方向に引っ張られ、外れてしまう場合がある。そこで、インシュレーションバレルの保持力を高めるべく、インシュレーションバレルを絶縁被覆に対して高圧縮で圧着することが考えられる。
【０００５】
しかし、一対のインシュレーションバレル片の先端面を互いに対向させるように加締める形態では、圧着の過程で一対のインシュレーションバレル片の対向面間に絶縁被覆が噛み込み、噛み込んだ部分に局所的に大きな力がかかって絶縁被覆が破損する虞がある。特に従来より高圧縮で加締める場合には、噛み込まれた部分がより強く押し潰されることになるため、絶縁被覆が破損し易い。
【０００６】
また、一対のインシュレーションバレル片のうち一方側の上面に他方側を重ね合わせて加締めるいわゆるオーバーラップ形態では、絶縁被覆を強い力で圧縮すると、内側のインシュレーションバレル片の先端面の縁部のエッジが絶縁被覆に対して食い込んで局所的に大きな力を加えることとなり、絶縁被覆が破損し易い。また、電線が後方に向けて急激に引っ張られた際に、エッジが食い込んだ部分から絶縁被覆が損傷して破断する虞がある。
【０００７】
このように、いずれの形態においても、絶縁被覆に対してインシュレーションバレルを高圧縮で圧着する際には、局所的に大きな力がかかることによる不具合が生じるため、インシュレーションバレルの保持力を高めることは困難であった。
【０００８】
本明細書で開示される技術は上記の課題に鑑みて考えられたものであって、絶縁被覆の外周面に圧着される圧着片の保持力を高めることができる端子および端子付き電線を提供すること目的とする。
【課題を解決するための手段】
【０００９】
上記課題を解決するためになされた本明細書で開示される技術は、芯線を絶縁被覆で覆った電線の端末に接続される端子であって、前記電線の長手方向と交差する方向に延出して形成され、前記絶縁被覆の外周面に圧着される一対の圧着片を備えており、前記一対の圧着片の先端部分で前記絶縁被覆側に配される内側縁部は、前記圧着片の先端に向かって斜めに切り欠かれた傾斜部とされていることを特徴とする。
【００１０】
また、本明細書で開示される技術は端子付き電線であって、芯線を絶縁被覆で覆った電線と、電線に接続される前記端子とを備えることを特徴とする。
【００１１】
上記構成によれば、一対の圧着片の先端部分を互いに対向させて加締める形態においては、絶縁被覆の噛み込みが懸念される先端部分のうち絶縁被覆側に配される内側縁部が傾斜部とされることにより、絶縁被覆のうち噛み込まれそうになった部分が一対の傾斜部により囲まれる山形の領域内に逃がされ易くなるから、噛み込みを回避することができる。よって、圧着片を高圧縮で圧着することが可能となる。
【００１２】
また、一対の圧着片のうち一方側の上面に他方側を重ね合わせて加締めるいわゆるオーバーラップ形態においては、絶縁被覆に対して食い込むことが懸念される内側の圧着片の先端部分のうち絶縁被覆側に配される内側縁部が傾斜部とされることにより、食い込みが回避される。すなわち、従来のようにエッジが食い込んだ部分が破損したり、電線が後方に向けて急激に引っ張られた際に、エッジ部分において絶縁被覆に対して局所的に大きな力が加わって絶縁被覆が損傷したり破断することを防止することができるから、圧着片を高圧縮で圧着することが可能となる。
【発明の効果】
【００１３】
本明細書に開示した技術によれば、圧着片の保持力が高い端子および端子付き電線を得ることができる。
【図面の簡単な説明】
【００１４】
【図１】実施形態１の端子付き電線の側面図
【図２】雌端子の要部拡大斜視図
【図３】インシュレーションバレルを電線に圧着した状態の断面図
【図４】実施形態２のインシュレーションバレルを電線に圧着した状態の断面図
【発明を実施するための形態】
【００１５】
＜実施形態１＞
実施形態１について図１ないし図３を参照して説明する。
【００１６】
本実施形態は、例えば車両に配策される端子付き電線３０を例示しており、この端子付き電線３０は、雌端子１０と、雌端子１０に接続されて雌端子１０から後方に引き出される電線２０とを備えて構成されている（図１参照）。なお、以下の説明では、図１における左側を前方、右側を後方、上側を上方と、下側を下方とする。また、図２における右下を左、左上を右とする。
【００１７】
電線２０は、例えばアルミニウムまたはアルミニウム合金製の素線を複数本撚り合わせた撚り線によって芯線２１を形成し、この芯線２１が合成樹脂製の絶縁被覆２２により覆われた構造となっている。電線２０は、端末の絶縁被覆２２が皮剥ぎされて、芯線２１が絶縁被覆２２から前方に露出しており、この端末に雌端子１０が接続されている。
【００１８】
雌端子１０は、銅合金からなる基材を打ち抜いて曲げ加工等を施すことにより形成されており、図１に示すように、端子接続部１１と、電線２０の芯線２１に接続されるワイヤバレル１２と、電線２０の絶縁被覆２２に圧着されるインシュレーションバレル１４と、ワイヤバレル１２とインシュレーションバレル１４との間を繋ぐ繋ぎ部１３と、を有している。端子接続部１１は、角筒状をなす箱状に成形されており、その内部に図示しない雄端子のタブが挿入され、電気的に接続されるようになっている。
【００１９】
ワイヤバレル１２はオープンバレル形式であって、図２に示すように、左右に伸びる一対のワイヤバレル片１２Ｂが底板部１２Ａの左右の側縁から互いに対向するようにして立ち上がっている。これらワイヤバレル片１２Ｂは、電線２０の前端部において絶縁被覆２２から露出する芯線２１に対して内向きに巻き込まれる形で加締められることで、当該芯線２１に圧着され、電気的に接続される。なお、ワイヤバレル１２のうち電線２０の芯線２１に圧着される面（内面）には、芯線２１との良好な導通を図るとともに芯線２１の保持力を高めるための凹状の複数のセレーション１２Ｃが設けられている。
【００２０】
一方、インシュレーションバレル１４は同じくオープンバレル形式であって、繋ぎ部１３を挟んでワイヤバレル１２の後方に設けられており、左右対称な同形同大の略矩形状の一対のインシュレーションバレル片１４Ｂ（圧着片の一例）が、底板部１４Ａの左右の側縁から左右対称となる位置において延出されて互いに対向するように立ち上がっている。言い換えると、一対のインシュレーションバレル片１４Ｂは、電線２０の長手方向（前後方向）と交差する左右方向に延出した形態とされている。
【００２１】
これら一対のインシュレーションバレル片１４Ｂは、底板部１４Ａに載置された電線２０の絶縁被覆２２の外周に巻き付けられ、絶縁被覆２２の外周面に対して径方向に圧着されるようになっている。一対のインシュレーションバレル片１４Ｂは、絶縁被覆２２に圧着される際には、平坦面状とされた互いの先端部分１４Ｃが対向するとともに突き合わされる形態とされる。なお、一対のインシュレーションバレル片１４Ｂは、絶縁被覆２２に圧着された状態において、絶縁被覆２２が所望の圧縮率で圧縮される長さ寸法に、予め設定されている。
【００２２】
さらに、インシュレーションバレル片１４Ｂの先端部分１４Ｃのうち、絶縁被覆２２に圧着された状態において絶縁被覆２２側に配される内側の縁部の角部は、図２および図３に示すように、電線２０の長手方向（前後方向）に沿って延びるように先端側に向けて斜めに切り欠かれており、この切り欠かれた部分が傾斜部１４Ｄとされている。
【００２３】
続いて、雌端子１０および電線２０を組み付ける手順について説明する。まず、ワイヤバレル１２およびインシュレーションバレル１４の底板部１２Ａ、１４Ａ、および、繋ぎ部１３の上面に、端末において絶縁被覆２２が皮剥ぎされて芯線２１が露出した電線２０を載置する。ここで、電線２０は、繋ぎ部１３上に芯線２１と絶縁被覆２２との境界部分が配されるように載置され、雌端子１０に対する電線２０の前後の位置が決定される（図１参照）。
【００２４】
次に、ワイヤバレル１２における一対のワイヤバレル片１２Ｂを電線２０の芯線２１に対して内側に巻き込むようにして圧着すると共に、インシュレーションバレル１４における一対のインシュレーションバレル片１４Ｂを電線２０の絶縁被覆２２に巻き付けるようにして圧着する。
【００２５】
この圧着の過程において、芯線２１に対してワイヤバレル１２を圧着する際には、セレーション１２Ｃの凹部の孔縁が芯線２１に食い込むことで、芯線２１に形成された酸化皮膜が破壊されるとともに、ワイヤバレル１２が芯線２１に対して強固に圧着固定される。
【００２６】
一方、絶縁被覆２２に対してインシュレーションバレル１４を圧着する際には、一対のインシュレーションバレル片１４Ｂを、それらの先端部分１４Ｃが互いに対向するとともに突き合わされてぴったり重なるように、絶縁被覆２２の外周に巻きつけつつ加締める。このように一対のインシュレーションバレル片１４Ｂが絶縁被覆２２に圧着された状態において、これらの突き合わせ部分の内周面側には、一対の傾斜部１４Ｄにより、径方向の外側に向けて断面がなだらかな山状に窪んだ凹状部１５が形成される（図３参照）。
【００２７】
またこのような圧着状態において、インシュレーションバレル１４の内周面（絶縁被覆２２側の面）は、ほぼなだらかに連続した状態とされている。詳細には、上述した凹状部１５が形成されているものの、この凹状部１５（傾斜部１４Ｄ）は直角状の段差や鋭角なエッジとは異なり、なだらかな状態でインシュレーションバレル片１４Ｂの傾斜部１４Ｄを除く内周面と連続している。
【００２８】
また、一対のインシュレーションバレル片１４Ｂの長さ寸法は、インシュレーションバレル１４が絶縁被覆２２に圧着された状態において絶縁被覆２２が所望の圧縮率となるように予め設定されているから、絶縁被覆２２は過不足ない所望の圧縮率で圧縮される。
【００２９】
以上のように、芯線２１に対してワイヤバレル１２が圧着固定され、絶縁被覆２２に対してインシュレーションバレル１４が圧着固定されることで、電線２０に対して雌端子１０が取り付けられた端子付き電線３０が得られる。
【００３０】
次に、本実施形態の雌端子１０および端子付き電線３０の作用効果について説明する。本実施形態の端子付き電線３０によれば、雌端子１０の一対のインシュレーションバレル片１４Ｂを電線２０に加締める過程において、絶縁被覆２２の一部が下方から上方に向けて押し寄せられ、一対の先端部分１４Ｃ間に噛み込まれそうになる場合があるが、そのような場合でも、噛み込まれそうになった部分は一対の傾斜部１４Ｄにより囲まれる上記凹状部１５内に逃がされるため、噛み込を回避することができる。
【００３１】
すなわち、絶縁被覆２２に対して局所的に大きな力がかかって絶縁被覆２２が破損することが抑制されるから、インシュレーションバレル１４を従来と比較して絶縁被覆２２に対して高圧縮で圧着することができ、電線２０に対する保持力が高い雌端子１０および端子付き電線３０を得ることができる。
【００３２】
＜実施形態２＞
次に、実施形態２について図４を参照して説明する。
【００３３】
実施形態２の雌端子４０は、実施形態１の雌端子１０のインシュレーションバレル１４の形状を変更したものであって、実施形態１と共通する構成については重複するため、その説明を省略する。
【００３４】
実施形態２のインシュレーションバレル４４も同じくオープンバレル形式であって、図示しないワイヤバレルの後方に設けられており、略矩形状の一対のインシュレーションバレル片４４Ｂ（圧着片の一例）が底板部４４Ａの左右の側縁から左右対称に延出されて互いに対向するように立ち上がっている。言い換えると、一対のインシュレーションバレル片４４Ｂは、電線２０の長手方向と交差する左右方向に延出された形態とされている。これら一対のインシュレーションバレル片４４Ｂは、実施形態１のインシュレーションバレル片１４Ｂと比較して、長さ寸法が長く設定されている。
【００３５】
一対のインシュレーションバレル片４４Ｂは、底板部４４Ａに載置された電線２０の絶縁被覆２２の外周面に対し、一方側の上面に他方側を重ね合わせるように巻き付けられて径方向に加締められる、いわゆるオーバーラップ形態とされている。
【００３６】
一対のインシュレーションバレル片４４Ｂの先端部分４４Ｃのうち、絶縁被覆２２に圧着された状態において絶縁被覆２２側に配される内側の縁部の角部は、電線２０の長手方向（前後方向）に沿って延びるように先端側に向けて斜めに切り欠かかれており、この切り欠かれた部分が傾斜部４４Ｄとされている。
【００３７】
本実施形態の端子付き電線によれば、絶縁被覆２２に対してインシュレーションバレル４４を圧着する際に、絶縁被覆２２に対して食い込むことが懸念される内側のインシュレーションバレル片４４Ｂの先端部分４４Ｃの内側縁部が傾斜部４４Ｄとされていることにより、絶縁被覆２２に対する食い込みが回避される。すなわち、電線２０が後方に向けて急激に引っ張られた際に、エッジ等により絶縁被覆２２に対して局所的に大きな力が加わり、絶縁被覆２２が損傷したり破断することを防ぐことができるから、インシュレーションバレル片４４Ｂを高圧縮で圧着することが可能となる。
【００３８】
もって、電線２０に対する保持力が高い雌端子４０および端子付き電線を得ることができる。
【００３９】
＜他の実施形態＞
本明細書で開示される技術は上記記述及び図面によって説明した実施形態に限定されるものではなく、例えば次のような種々の態様も含まれる。
【００４０】
（１）上記実施形態では、雌端子１０を一例として示した。しかしながら、これに限らず、絶縁被覆２２に圧着するインシュレーションバレルが設けられた雄端子など、インシュレーションバレルが設けられた端子全般に本明細書で開示した技術を広く適用できる。
【００４１】
（２）上記実施形態１では、一対のインシュレーションバレル片１４Ｂの先端部分１４Ｃを互いに対向させるとともに突き合わせる形態としたが、必ずしも突き合わせる必要はなく、一対の先端部分１４Ｃの間に空隙が設けられる形態としてもよい。
【００４２】
（３）上記実施形態２では、一対のインシュレーションバレル片４４Ｂの双方に傾斜部４４Ｄを設ける構成としたが、電線２０に対して圧着される際に内側（下側）となる一方側のインシュレーションバレル片４４Ｂのみに傾斜部４４Ｄを設け、外側（上側）となるインシュレーションバレル片４４Ｂには傾斜部４４Ｄを設けない構成としてもよい。
【００４３】
（４）上記実施形態では、先端部分１４Ｃが対向する形態およびオーバーラップ形態のインシュレーションバレル１４，４４を例示したが、これに限らず、例えば一対のインシュレーションバレル片を電線の長手方向にずらして配し、前後の異なる位置で加締める形態のインシュレーションバレル等、他の形態のものに適用してもよい。
【００４４】
（５）上記実施形態ではアルミ電線２０を例示したが、銅合金からなる芯線を有する銅電線に適用してもよい。また、上記実施形態では撚り線を例示したが、各素線を撚り合わせてないストレート形状の芯線に適用してもよい。
【符号の説明】
【００４５】
１０、４０…雌端子（端子）
１２…ワイヤバレル
１３…繋ぎ部
１４、４４…インシュレーションバレル
１４Ｂ、４４Ｂ…インシュレーションバレル片（圧着片）
１４Ｃ、４４Ｃ…先端部分
１４Ｄ、４４Ｄ…傾斜部
１５…凹状部
２０…アルミ電線（電線）
２１…芯線
２２…絶縁被覆
３０…端子付き電線
【図１】
2016207306.tif 000003
【図２】
2016207306.tif 000004
【図３】
2016207306.tif 000005
【図４】
2016207306.tif 000006